(57)【要約】【課題】天板本体部を囲む構成で枠体が設けられるガスコンロにおいて、枠体が水平方向に嵩張るように視認されにくい構成を実現する。【解決手段】ガスコンロ１の天板部４は枠体３０を備える。枠体３０の露出枠部は、上面部１１２、内側延設部１１３、外縁部１１４、支持部１１８を備え、外縁部１１４は、上面部１１２から下側に続く上側外縁部１１５と、上側外縁部１１５から下側に続く下側外縁部１１６とを具備する。上側外縁部１１５の外面は、下位置となるにつれて外側となるように傾斜した傾斜面として構成され、且つ、内側延設部１１３の外面よりも急勾配で傾斜している。【選択図】図１２
2019219142.tif 000002
【特許請求の範囲】
【請求項１】
上端側が開放した形態をなす筐体部と、
前記筐体部の上端側に組み付けられて前記筐体部を閉塞する天板部と、
を有するガスコンロであって、
前記天板部は、
板状の天板本体部と、
前記天板本体部の裏面側に固定され、少なくとも一部が前記天板本体部の周縁部の下方に配置される補強板部と、
前記天板本体部と前記補強板部とが一体的に組み付けられてなる組付体を外側から囲む構成をなし、少なくとも一部が、前記天板本体部及び前記補強板部に隣接し且つ露出した露出枠部として構成される枠体と、
を有し、
前記露出枠部は、
前記天板本体部よりも上側に配置される上面部と、
前記枠体によって囲まれる領域の中心側を内側とした場合において、前記上面部の内側に続く構成で連結され、内側となるにつれて下位置となるように外面が傾斜した構成をなし、下端部が前記天板本体部の上面に支持される内側延設部と、
前記上面部の外側に続く構成で連結され、前記天板本体部の前記周縁部に沿って配置され、前記周縁部を外側から覆う構成をなす外縁部と、
前記外縁部の内壁部から張り出し、前記補強板部の端部を下方側から支持する支持部と、
を備え、
前記外縁部は、
前記上面部から下側に続く上側外縁部と、
前記上側外縁部から下側に続く下側外縁部と、
を具備し、
前記上側外縁部の外面の少なくとも一部は、下位置となるにつれて外側となるように傾斜した傾斜面として構成され、且つ、前記内側延設部の外面よりも急勾配で傾斜している
ガスコンロ。
【請求項２】
前記下側外縁部の外面の少なくとも一部は、下位置となるにつれて内側となるように傾斜した傾斜面として構成されている
請求項１に記載のガスコンロ。
【請求項３】
前記上側外縁部の上下方向の長さが、前記下側外縁部の上下方向の長さよりも大きい
請求項２に記載のガスコンロ。
【請求項４】
水平方向において、前記上面部の内縁が、前記天板本体部の外縁の位置又は前記天板本体部の外縁よりも外側の位置に位置する
請求項１から請求項３のいずれか一項に記載のガスコンロ。
【発明の詳細な説明】
【技術分野】
【０００１】
本発明は、ガスコンロ
【背景技術】
【０００２】
従来、ガスコンロは、バーナ、グリル等が固定されるとともに上部が開口される箱状の筐体部と、筐体部の上部開口を閉塞する天板部とを備えて構成されている。そして、天板部は、バーナ開口を有しており、筐体部に組み込まれたバーナを自身に形成されたバーナ開口内に挿通させた状態で筐体上に設けられている。
【０００３】
この種の天板部の一例としては、例えば特許文献１のようなものが提案されている。特許文献１で開示される天板部は、ホーロー或いはガラスコーティングによる表面処理を施した板金又はガラス板よりなる天板本体と、天板本体を下側より支える補強板と、天板本体の後側に配されるとともにグリル庫からの排気を外部に導出するためのグリル排気口が形成された後板と、天板本体及び後板の全周を取り囲むように取り付けられる枠体と、を備えている。そして、枠体は、自身の上部に天板の上面と当接する庇部を有しており、庇部の下側には、天板本体及び支持板それぞれの縁部を収納する空隙部が設けられている。この空隙部には、補強板を下側から支える機能を有する支持部（例えば溝部）が設けられており、天板本体及び補強板が庇部及び支持部によって上下に挟み込まれた状態で枠体に支持されるようになっている。
【先行技術文献】
【特許文献】
【０００４】
【特許文献１】特開２００８−２７５４号公報
【発明の概要】
【発明が解決しようとする課題】
【０００５】
しかし、特許文献１で開示されるガスコンロの天板部（天板構造）は、枠体の水平方向の幅が大きくならざるを得ない構造であり、天板部全体の中で枠体が目立ちすぎるため、デザイン的に枠体が強調されすぎてしまうという問題があった。
【０００６】
本発明は、上述した課題の少なくとも一つを解決するためになされたものであり、天板本体部を囲む構成で枠体が設けられるガスコンロにおいて、枠体が水平方向に嵩張るように視認されにくい構成を実現することを目的とするものである。
【課題を解決するための手段】
【０００７】
本発明の一つであるガスコンロは、
上端側が開放した形態をなす筐体部と、
前記筐体部の上端側に組み付けられて前記筐体部を閉塞する天板部と、
を有するガスコンロであって、
前記天板部は、
板状の天板本体部と、
前記天板本体部の裏面側に固定され、少なくとも一部が前記天板本体部の周縁部の下方に配置される補強板部と、
前記天板本体部と前記補強板部とが一体的に組み付けられてなる組付体を外側から囲む構成をなし、少なくとも一部が、前記天板本体部及び前記補強板部に隣接し且つ露出した露出枠部として構成される枠体と、
を有し、
前記露出枠部は、
前記天板本体部よりも上側に配置される上面部と、
前記枠体によって囲まれる領域の中心側を内側とした場合において、前記上面部の内側に続く構成で連結され、内側となるにつれて下位置となるように外面が傾斜した構成をなし、下端部が前記天板本体部の上面に支持される内側延設部と、
前記上面部の外側に続く構成で連結され、前記天板本体部の前記周縁部に沿って配置され、前記周縁部を外側から覆う構成をなす外縁部と、
前記外縁部の内壁部から張り出し、前記補強板部の端部を下方側から支持する支持部と、
を備え、
前記外縁部は、
前記上面部から下側に続く上側外縁部と、
前記上側外縁部から下側に続く下側外縁部と、
を具備し、
前記上側外縁部の外面の少なくとも一部は、下位置となるにつれて外側となるように傾斜した傾斜面として構成され、且つ、前記内側延設部の外面よりも急勾配で傾斜している。
【発明の効果】
【０００８】
上記ガスコンロは、枠体に上面部が設けられているため、使用者の意識を上面部に集中させることができ、その分、内側延設部や上側外縁部を目立ちにくくすることができる。しかも、上側外縁部の外面を内側延設部の外面よりも急勾配で傾斜させているため、使用者には、外縁部が垂直に近い壁部であるという印象を与えることができる。これらが相乗的に影響を及ぼすことで、枠体が水平方向に嵩張るように視認されにくくなり、枠体の水平方向の幅が狭いような印象を使用者に与えやすい、スッキリとしたデザインとすることができる。
【図面の簡単な説明】
【０００９】
【図１】実施例１のガスコンロを概略的に例示する正面図である。
【図２】実施例１のガスコンロの天板部を斜め上側から見た斜視図である。
【図３】図２の天板部の平面図である。
【図４】図２の天板部の底面図である。
【図５】図２の天板部の正面図である。
【図６】図２の天板部の背面図である。
【図７】図２の天板部の側面図である。
【図８】図２の天板部の分解斜視図である。
【図９】図２の天板部について、図８とは異なる方向から見た分解斜視図である。
【図１０】図２の天板部から後板部を取り外した状態を示す斜視図である。
【図１１】図３のＢ−Ｂ位置で切断した断面を概略的に示す断面図である。
【図１２】図１１で示す断面の一部を拡大して示す断面拡大図である。
【図１３】図２の一部を拡大して示す拡大図である。
【発明を実施するための形態】
【００１０】
本発明の望ましい例を以下に示す。但し、本発明は、以下の例に限定されない。
【００１１】
本発明において、下側外縁部の外面の少なくとも一部は、下位置となるにつれて内側となるように傾斜した傾斜面として構成されていてもよい。
このようにすれば、使用者が天板部を上側から見下ろしたときに下側外縁部の外面が使用者の視界に入りにくくなる。よって、使用者は、天板部を上側から見下ろしたときに、下側外縁部が存在しない印象又は下側外縁部が狭い印象をもちやすくなる。このように、枠体の領域がより狭い印象を使用者に与えやすい、よりスッキリとしたデザインとなる。
【００１２】
本発明において、上側外縁部の上下方向の長さが、下側外縁部の上下方向の長さよりも大きくなっていてもよい。このようにすれば、使用者が天板部を上側から見下ろしたときに下側外縁部の外面が使用者の視界により入りにくくなる。よって、外縁部を狭く認識させうる場面が生じやすくなる。
【００１３】
本発明は、水平方向において、上面部の内縁が、天板本体部の外縁の位置又は天板本体部の外縁よりも外側の位置に位置していてもよい。このようにすれば、上面部の内縁が天板本体部の外縁よりも大きく内側に入り込むような構成と比較して、上面部の幅がより小さくなり、上面部自体も狭い幅で認識されやすくなる。
【００１４】
＜実施例１＞
本発明の実施例１に係るガスコンロ１について、図面を参照しつつ説明する。
１−１．ガスコンロの概要
まず、ガスコンロ１の概要を説明する。図１に示すガスコンロ１は、調理鍋等の調理器具を加熱可能なビルトインコンロとして構成され、複数のこんろ部６Ａ，６Ｂ，６Ｃを備えるとともに、器内にグリル庫１０を内蔵してなる。このガスコンロ１は、装置本体１Ａに天板部４が取り付けられた構成をなす。装置本体１Ａは、ガスコンロ１から天板部４や五徳９Ａ，９Ｂ，９Ｃなどを除いた部分であり、ガスコンロ１の外殻をなす筐体部２と、筐体部２内に収容される様々な部品（グリル庫１０等）とを有してなる。天板部４は、筐体部２の上端部に固定されている。ガスコンロ１には、天板部４から露出するように、左こんろ部６Ａ、右こんろ部６Ｂが夫々設けられ、その左右のこんろ部６Ａ，６Ｂの間で後方寄りに小こんろ部６Ｃが設けられている。左こんろ部６Ａには、コンロバーナ８Ａが設けられ、右こんろ６Ｂには、コンロバーナ８Ｂが設けられ、小こんろ部６Ｃには、コンロバーナ８Ｃが設けられている。コンロバーナ８Ａ，８Ｂ、８Ｃは、公知のガスバーナとして構成され、図示しないガス供給路を介してガスが供給される構成をなし、それぞれの一部が天板部４の上方側に配置されるようになっている。コンロバーナ８Ａ，８Ｂ、８Ｃの周囲には、天板部４に載置された状態で五徳９Ａ，９Ｂ，９Ｃがそれぞれ組み付けられている。天板部４の下方において装置本体１Ａの内部中央付近にはグリル庫１０が設けられている。
【００１５】
１−２．天板部の構成
次に、天板部４について詳述する。図１のように、天板部４は、上端側が開口してなる筐体部２の上端側に組み付けられて筐体部２を閉塞するものであり、ガスコンロ１の上面部を構成するものである。
【００１６】
天板部４の取付対象となる筐体部２は、図示しない左右の側壁部と、図示しない後壁部と、前壁部として機能する前面パネル２Ａと、図示しない底壁部とを備え、前後左右の壁部によって部品の収容空間が囲まれた構成をなし、部品の収容空間の下方側は底壁部によって閉塞される。筐体部２は、上端側が開放した構成をなす箱状形態をなしており、グリル庫１０などの各種部品を収容する。天板部４は、筐体部２の上端側に構成される開口部を閉塞する構成で筐体部２に取り付けられる。
【００１７】
なお、本明細書では、天板本体部２０の厚さ方向（板厚方向）を上下方向とし、天板本体部２０を平面視したときの長手方向を左右方向とし、上下方向及び左右方向と直交する方向を前後方向とする。上下方向において、天板本体部２０の表側を上方側とし裏側を下方側とする。
【００１８】
天板部４は、図２〜図７のような構成をなし、図８、図９で示す各部品が組み立てられてなる。図９のように、天板部４は、板状の天板本体部２０と、天板本体部２０の裏面側に固定される補強フレーム８０と、天板本体部２０の裏面側において左右方向両端付近に配置される作用部材７０と、天板本体部２０の一部の周縁部に沿うように天板本体部２０に固定される枠体３０と、枠体３０に沿って配置されるパッキン１０２と、天板本体部２０の後方に隣接して配置される後板部４０と、天板本体部２０における中央側の所定位置にそれぞれ固定される中央側内枠部６１，６２，６３とを備える。
【００１９】
図２、図８、図９で示すように、天板本体部２０は、板状に構成された部材であり、ガラス板からなる板状部材、或いは金属板材の表面にホーロー処理を施してガラスコート層を形成した板状部材などとして構成されている。天板本体部２０は、全体的に均一な板厚となっており、図２で概念的に示すように、天板本体部２０の中央側には、コンロバーナ８Ａ，８Ｂ、８Ｃが挿し通される開口形状のバーナ挿通部２１Ａ，２１Ｂ，２１Ｃが貫通孔として形成されている。図８のように、天板本体部２０の周縁部２９は、平面視矩形状となっており、周縁部２９のうちの前端側周縁部２９Ａ及び後端側周縁部２９Ｂは、端部が左右方向に延びる形態をなす。周縁部２９のうちの左右端側周縁部２９Ｃ，２９Ｄは、端部が前後方向に延びる形態をなす。
【００２０】
図２のように、天板本体部２０には、中央側内枠部６１，６２，６３がそれぞれ固定される。中央側内枠部６１，６２，６３は、天板本体部２０の中央側に形成された各バーナ挿通部２１Ａ，２１Ｂ，２１Ｃの付近にそれぞれ固定される。中央側内枠部６１は、天板本体部２０の裏面側に板状の組付部材６１Ａが固定され、天板本体部２０の表面側にリング状の座金部材６１Ｂが固定され、これらが固定部材（ねじ等）によって連結される。中央側内枠部６２は、天板本体部２０の裏面側に板状の組付部材６２Ａが固定され、天板本体部２０の表面側にリング状の座金部材６２Ｂが固定され、これらが固定部材（ねじ等）によって連結される。中央側内枠部６３は、天板本体部２０の裏面側に板状の組付部材６３Ａが固定され、天板本体部２０の表面側にリング状の座金部材６３Ｂが固定され、これらが固定部材（ねじ等）によって連結される。中央側内枠部６１，６２，６３のそれぞれには、上下に貫通した開口部６１Ｃ，６２Ｃ，６３Ｃがそれぞれ形成され、これらがバーナ挿通部２１Ａ，２１Ｂ，２１Ｃのそれぞれと連通しており、天板部４の装着時には、開口部６１Ｃ，６２Ｃ，６３Ｃに対して下側からコンロバーナ（ガスバーナ）８Ａ，８Ｂ、８Ｃがそれぞれ挿入されるようになっている。
【００２１】
枠体３０は、天板本体部２０と補強板部８９とが一体的に組み付けられてなる組付体１００を外側から囲む構成をなす部品であり、図２のように天板本体部２０の領域と天板本体部２０の後方側の領域とを外側から囲む構成で配置されるものである（図１０も参照）。枠体３０は、例えば金属材料や樹脂材料などからなり、図８のように矩形枠状に構成されている。枠体３０は、接着剤などの接着媒体によって天板本体部２０の周縁部２９に接着される構成をなし、天板本体部２０の周縁部２９の近傍を補強する機能を有する。枠体３０は、天板本体部２０の前縁部及び両側縁部に固定される第１枠部３１と、第１枠部３１の後方側に続く構成をなし且つ天板本体部２０の後方側の領域の周囲に配置される第２枠部３２と、を備える。
【００２２】
具体的には、図８のように、枠体３０の前後両端部が左右方向に延びる第１直線状部３３，３４として構成され、枠体３０の左右両端部が前後方向に延びる第２直線状部３５，３６として構成されている。そして、第１直線状部３３及び第２直線状部３５，３６の一部が天板本体部２０の周縁部２９に固定される構成をなす。なお、枠体３０において天板本体部２０の周縁部２９に固定される部分が第１枠部３１であり、この第１枠部３１が露出枠部の一例に相当する。第１枠部３１（露出枠部）は、天板本体部２０及び補強板部８９に隣接し且つ露出した構成をなす部分である。第２枠部３２は、第１枠部３１の後方側に続く部分であり、枠体３０のうち天板本体部２０の後端よりも後方側の部分である。図１０のように、天板本体部２０に枠体３０が固定された状態では、第２枠部３２が天板本体部２０の後端部（後端側周縁部２９Ｂ）よりも後方側に延びており、その後端部（後端側周縁部２９Ｂ）と第２枠部３２とによって開口部を構成している。
【００２３】
パッキン１０２は、枠体３０の下面に固定されるシール部材であり、図１１〜図１４で示すように、枠体３０に沿うように配置される。パッキン１０２は、天板部４がキッチンカウンターの載置面（取付孔周縁部の上面）に載置されたときに、その載置面と枠体３０とによって挟み込まれ、天板部４と載置面の間の隙間を埋めるようにシールする部品である。図１２の例では、パッキン１０２は支持部１１８の下面部に形成された段差部１１９に嵌まっている。
【００２４】
後板部４０は、例えば金属材料などからなり、天板本体部２０と補強板部８９と枠体３０とが組み付けられてなる組付体１００（図１０）に固定される部品である。図１０で示すように、組付体１００は、天板部４から後板部４０を外した構造体であり、後板部４０は、組付体１００において天板本体部２０の後方側に構成される開口部（天板本体部２０の後端部と枠体３０の一部とによって構成される開口部）の開口領域を部分的に埋めるように天板本体部２０及び枠体３０に固定される。図２、図３のように、後板部４０は、天板本体部２０の上面部２２の後方側に配置される環状上面部４３と、環状上面部４３に一体的に連結されるとともに天板本体部２０の上面部２２の後端２２Ａに沿って配置され、上面部後端２２Ａを上方側から覆う構成をなす第１被覆部４１と、環状上面部４３に一体的に連結されるとともに第２枠部３２に沿って配置され、第２枠部３２を外側から覆う構成をなす第２被覆部４２と、を備える。環状上面部４３の裏面側後端部付近には、左右方向に延びる補強部材９０が固定されている。図２のように、後板部４０には、グリル庫１０からの排気を排出する排気口４９が貫通孔として形成されている。後板部４０の表面側には、下方に凹む凹部４７が形成されており、凹部４７には、図示しないカバー部材が嵌め込まれるようになっている。このカバー部材は、排気口４９を覆うように後板部４０に装着される部材であり、排気を導出するための多数の貫通孔が形成されてなるものである。このカバー部材が後板部４０に装着された状態では、排気口４９を介して排出される排気が、カバー部材に形成された多数の貫通孔を介して外部に放出されることになる。
【００２５】
図４、図８、図９のように、天板本体部２０の裏面に対しては、複数のフレーム部材を備えてなる補強フレーム８０が固定されている。補強フレーム８０は、左右方向に延びるフレーム部材（補強部材）８１，８２，８３と、前後方向に延びるフレーム部材（補強部材）８４，８５，８６，８７を備え、これらが接着剤などの固定手段によって天板本体部２０の裏面に固定されつつ互いに連結されている。そして、フレーム部材８１，８４，８５が補強板部８９の一例として構成されている。
【００２６】
補強板部８９を構成するフレーム部材８１，８４，８５は、天板本体部２０の裏面に固定される長手状且つ板状の部材であり、いずれのフレーム部材も、少なくとも一部が天板本体部２０の周縁部２９の下方に配置されるものである。フレーム部材８１，８４，８５は、例えば金属材料などからなる。補強板部８９のうちフレーム部材８４は、天板本体部２０の左右方向一方側の端部寄りに固定され、第２直線状部３５付近において第２直線状部３５に沿って配置される。フレーム部材８５は、天板本体部２０の左右方向他方側の端部寄りに固定され、第２直線状部３６付近において第２直線状部３６に沿って配置される。フレーム部材８４及びフレーム部材８５はいずれも、前後方向に長い板状部材として構成されている。補強板部８９のうちフレーム部材８１は、天板本体部２０の前端部寄りに固定され、第１直線状部３３付近において第１直線状部３３に沿って配置される。フレーム部材８１は左右方向に長い板状部材として構成されている。
【００２７】
図１２、図１３のように、第１枠部３１（露出枠部）は、上面部１１２と、内側延設部１１３と、外縁部１１４と、支持部１１８とを備える。そして、上面部１１２、内側延設部１１３、外縁部１１４、支持部１１８が一体化した構成で、第１枠部３１が形成されている。なお、図１２では、枠体３０を所定位置において当該所定位置での枠体３０の延出方向と直交する方向に切断した切断面を例示したが、枠体３０の周方向のいずれの位置でも枠体３０が延びる方向と直交する方向に切断した切断面の形状は図１２のようになっている。例えば、第１直線状部３３，３４のいずれの位置でも、それぞれが直線状に延びる方向と直交する方向に切断した切断面は図１２のような形状であり、第２直線状部３５，３６のいずれの位置でも、それぞれが直線状に延びる方向と直交する方向に切断した切断面は図１２のような形状である。また、第２枠部３２の各位置での断面形状は、第１枠部３１の各位置での断面形状と同様である。
【００２８】
上面部１１２は、枠体３０の上端の面を構成する部分であり、天板本体部２０の上面よりも上側に配置される。上面部１１２の幅は、内側延設部１１３の幅よりも小さい。上面部１１２の外面（上面）は、天板本体部２０の厚さ方向と直交する平面方向に沿った平坦面（具体的にはその平面方向と略平行な平坦面）である。枠体３０の周方向所定位置での上面部１１２及び内側延設部１１３の幅は、当該周方向所定位置において上面部１１２が延びる方向（枠体３０が延びる方向）及び天板本体部２０の厚さ方向と直交する方向を当該周方向所定位置での幅方向としたときの上面部１１２の幅方向の大きさ及び内側延設部１１３の幅方向の大きさである。
【００２９】
内側延設部１１３は、枠体３０によって囲まれる領域の中心側（天板本体部２０の中心側）を内側とした場合において、上面部１１２の内側に続く構成で連結され、内側となるにつれて下位置となるように外面が傾斜した構成をなす。そして、内側延設部１１３の下端部は、天板本体部２０の上面に支持される。例えば、枠体３０の周方向においていずれの位置を上記「周方向所定位置」とした場合でも、当該周方向所定位置での幅方向において、上面部１１２の内側に内側延設部１１３が連結し、内側延設部１１３は幅方向において上面部１１２から離れるほど上面が下位置となるように傾斜している。図１２の例では、内側延設部１１３の内側の端部（幅方向一方側の端部）が支持部１１８の内側の端部（幅方向一方側の端部）よりも内側に入り込んでいる。
【００３０】
外縁部１１４は、上面部１１２の外側に続く構成で連結され、天板本体部２０の周縁部に沿って配置される部分である。外縁部１１４は、天板本体部２０の周縁部２９を外側から覆う構成をなす。この外縁部１１４は、上面部１１２から下側に続く上側外縁部１１５と、上側外縁部１１５から下側に続く下側外縁部１１６と、を具備する。上側外縁部１１５の外面は、下位置となるにつれて外側となるように傾斜した傾斜面として構成され、且つ、内側延設部１１３の外面よりも急勾配で傾斜している。下側外縁部１１６の外面は、下位置となるにつれて内側となるように傾斜した傾斜面として構成されている。図１２の例では、内側延設部１１３の外面（上面）と垂直方向（天板本体部２０の厚さ方向と平行な方向）とのなす角度θ１が、上側外縁部１１５の外面と垂直方向（天板本体部２０の厚さ方向と平行な方向）とのなす角度θ２よりも大きい。下側外縁部１１６の外面と垂直方向（天板本体部２０の厚さ方向と平行な方向）とのなす角度θ３は、θ１よりも小さく、θ２と同程度である。また、上側外縁部１１５の上下方向の長さＬ１が、下側外縁部１１６の上下方向の長さＬ２よりも大きくなっている。
【００３１】
更に、枠体３０の周方向においていずれの位置を上記「周方向所定位置」とした場合でも、図１２のように、当該周方向所定位置での幅方向において、枠体３０の内面（枠体３０の内壁面において周縁部２９と対向する面）から内側延設部１１３の先端までの幅Ｌ５が、当該内面から外縁部１１４の外縁までの幅Ｌ４よりも大きくなっており、上側外縁部１１５の外面（傾斜面）の幅Ｌ３よりも大きくなっている。また、上側外縁部１１５の外面（傾斜面）の幅Ｌ３は、上面部１１２の幅よりも小さくなっている。
【００３２】
図１２のように、天板部４では、水平方向（天板本体部２０の厚さ方向と直交する平面と平行な方向）において、上面部１１２の内縁が、天板本体部２０の外縁の位置又は天板本体部２０の外縁よりも外側の位置に位置する。具体的には、枠体３０の周方向においていずれの位置を上記「周方向所定位置」とした場合でも、図１２のように、当該周方向所定位置での幅方向において、上面部１１２の幅方向一方側の端部が、天板本体部２０の幅方向他方側の端部よりも外側に位置している。
【００３３】
支持部１１８は、外縁部１１４の内壁部から内側に張り出し、補強板部８９の端部を下方側から支持する部分である。図１２の構成では、天板本体部２０の周縁部２９付近と補強板部８９の端部付近とが内側延設部１１３と支持部１１８とによって上下に挟み込まれている。なお、図示はしていないが、図１２において、枠体３０、天板本体部２０、補強板部８９によって囲まれる領域には、接着剤などの接着媒体（図示省略）を配置することができる。
【００３４】
１−３．効果
ガスコンロ１は、枠体３０に上面部１１２が設けられているため、使用者の意識を上面部１１２に集中させることができ、その分、内側延設部１１３や上側外縁部１１５を目立ちにくくすることができる。しかも、上側外縁部１１５の外面を内側延設部１１３の外面よりも急勾配で傾斜させているため、使用者には、外縁部１１４が垂直に近い壁部であるという印象を与えることができる。これらが相乗的に影響を及ぼすことで、枠体３０が水平方向に嵩張るように視認されにくくなり、枠体３０の水平方向の幅が狭いような印象を使用者に与えやすい、スッキリとしたデザインとすることができる。
【００３５】
更に、下側外縁部１１６の外面が、下位置となるにつれて内側となるように傾斜した傾斜面として構成されている。このようにすれば、使用者が天板部４を上側から見下ろしたときに下側外縁部１１６の外面が使用者の視界に入りにくくなる。よって、使用者は、天板部４を上側から見下ろしたときに、下側外縁部１１６が存在しない印象又は下側外縁部１１６が狭い印象をもちやすくなる。このように、枠体３０の領域がより狭い印象を使用者に与えやすい、よりスッキリとしたデザインとなる。
【００３６】
更に、上側外縁部１１５の上下方向の長さが、下側外縁部１１６の上下方向の長さよりも大きくなっている。このようにすれば、使用者が天板部４を上側から見下ろしたときに下側外縁部１１６の外面が使用者の視界により入りにくくなる。よって、外縁部１１４を狭く認識させうる場面が生じやすくなる。
【００３７】
更には、水平方向において、上面部１１２の内縁が、天板本体部２０の外縁の位置又は天板本体部２０の外縁よりも外側の位置に位置している。このようにすれば、上面部１１２の内縁が天板本体部２０の外縁よりも大きく内側に入り込むような構成と比較して、上面部１１２の幅がより小さくなり、上面部１１２自体も狭い幅で認識されやすくなる。
【００３８】
＜他の実施例＞
本発明は上記記述及び図面によって説明した実施例に限定されるものではなく、その趣旨を逸脱しない範囲において種々の構成で実現することができる。例えば、上述した実施例や後述する実施例の様々な特徴は、発明の趣旨を逸脱せず且つ矛盾しない組み合わせであればどのように組み合わせてもよい。また、その技術的特徴が本明細書中に必須なものとして説明されていなければ、適宜、削除することが可能である。
【００３９】
実施例１では、下側外縁部の外面は、下位置となるにつれて内側となるように傾斜した傾斜面として構成されているが、垂直面（天板本体部の厚さ方向と平行な方向に沿った面）として構成されていてもよい。
【００４０】
実施例１では、上側外縁部の上下方向の長さが、下側外縁部の上下方向の長さよりも大きい構成を例示したが、これらが同程度の長さであってもよく、下側外縁部のほうが長くてもよい。
【００４１】
実施例１では、水平方向において、上面部の内縁が、天板本体部の外縁の位置又は天板本体部の外縁よりも外側の位置に位置する構成を例示したが、上面部の内縁が天板本体部の外縁よりも内側に位置してもいてもよい。
【００４２】
実施例１では、枠体において周方向の一部領域が露出枠部として構成されていたが、周方向の全領域が露出枠部として構成されていてもよい。
【符号の説明】
【００４３】
１…ガスコンロ
２…筐体部
４…天板部
２０…天板本体部
２９…周縁部
３０…枠体
３１…第１枠部（露出枠部）
８９…補強板部
１１２…上面部
１１３…内側延設部
１１４…外縁部
１１５…上側外縁部
１１６…下側外縁部
１１８…支持部
【図１】
2019219142.tif 000003
【図２】
2019219142.tif 000004
【図３】
2019219142.tif 000005
【図４】
2019219142.tif 000006
【図５】
2019219142.tif 000007
【図６】
2019219142.tif 000008
【図７】
2019219142.tif 000009
【図８】
2019219142.tif 000010
【図９】
2019219142.tif 000011
【図１０】
2019219142.tif 000012
【図１１】
2019219142.tif 000013
【図１２】
2019219142.tif 000014
【図１３】
2019219142.tif 000015